(57)【要約】【課題】型枠を用いて構築される各種建築物のコンクリート基礎における外側垂直面（立上部の外面）と内側水平面（内側ベタ基礎部、或いは土間コンクリート部の表面）との間に排水管等の各種配管を挿通するための所定角度で屈曲する屈曲孔を形成するコンクリート基礎における屈曲孔形成具及び屈曲孔形成方法を提供することを目的とする。【解決手段】基材シート９ａ，９ｂを拡径・縮径可能に中空筒状に巻形成し、一端に楕円状開口部２ａ，３ａを形成した一対のスリーブ２，３と、スリーブ２，３の他端の開口部２ｂ，３ｂに装着されたスリーブ開口保形具４，５とからなり、スリーブ２，３の楕円状開口部２ａ，３ａを相互に密接させて固定することにより、一対のスリーブ２，３を所定角度に屈曲するように連接してなるコンクリート基礎における屈曲孔形成具及び屈曲孔形成方法を提供する。【選択図】図４
2009035982.tif 000002
【特許請求の範囲】
【請求項１】
基材シートを拡径・縮径可能に中空筒状に巻形成した２つのスリーブを所定角度に屈曲するように開口部を連接し、連接された２つのスリーブの両端開口部にスリーブ開口保形具を装着してなることを特徴とするコンクリート基礎における屈曲孔形成具。
【請求項２】
基材シートを拡径・縮径可能に中空筒状に巻形成し、一端に楕円状開口部を形成した一対のスリーブと、スリーブの他端の開口部に装着されたスリーブ開口保形具とからなり、スリーブの楕円状開口部を相互に密接させて固定することにより、一対のスリーブを所定角度に屈曲するように連接してなることを特徴とするコンクリート基礎における屈曲孔形成具。
【請求項３】
スリーブをスリーブ連結具で固定して連接する請求項１又は２記載のコンクリート基礎における屈曲孔形成具。
【請求項４】
スリーブ開口保形具の少なくとも一方に永久磁石を装備することにより、該永久磁石によりコンクリート基礎の屈曲孔を形成すべき箇所にある生コンクリート打設用の型枠にスリーブ開口保形具を磁着可能とした請求項１，２又は３記載のコンクリート基礎における屈曲孔形成具。
【請求項５】
スリーブ開口保形具は、円盤状の蓋面と、該蓋面の円周端部近傍に垂直に立設された所定高さの周壁と、該周壁の外側に形成された縁部とからなる請求項１，２，３又は４記載のコンクリート基礎における屈曲孔形成具。
【請求項６】
少なくとも一方のスリーブ開口保形具は、蓋面に開口部が穿設され、開口部にバックヨーク付き永久磁石が装着されている請求項５記載のコンクリート基礎における屈曲孔形成具。
【請求項７】
スリーブ内に、スリーブの形状を付形するスリーブ内部保形具を配置した請求項１，２，３，４，５又は６記載のコンクリート基礎における屈曲孔形成具。
【請求項８】
スリーブ内部保形具は、その外周面がスリーブの内周面に密接する中空環状体である請求項７記載のコンクリート基礎における屈曲孔形成具。
【請求項９】
スリーブ開口保形具、又はスリーブ開口保形具及びスリーブ内部保形具を取り外すことにより、スリーブが縮径する請求項１，２，３，４，５，６，７又は８記載のコンクリート基礎における屈曲孔形成具。
【請求項１０】
スリーブ及び／又はスリーブ開口保形具の材質として、ポリアミド，ＰＢＴ，ＡＢＳ樹脂，ナイロン，ポリプロピレン等の合成樹脂を用いた請求項１，２，３，４，５，６，７，８又は９記載のコンクリート基礎における屈曲孔形成具。
【請求項１１】
請求項１〜請求項１０のいずれかに記載のコンクリート基礎における屈曲孔形成具の一方のスリーブ開口保形具を、コンクリート基礎の外側垂直面を形成すべき箇所にある生コンクリート打設用の型枠に固定するとともに、内側水平面を形成する箇所に他方のスリーブ開口保形具を内側水平面から露出するように固定し、コンクリート基礎を構築するために打設した生コンクリートの固化後に型枠及び屈曲孔形成具を順次取り除くことによって、建築物のコンクリート基礎における外側垂直面と内側水平面との間に排水管等の各種配管を挿通するための屈曲孔を形成することを特徴とするコンクリート基礎における屈曲孔形成方法。
【請求項１２】
生コンクリートの固化後に、外側垂直面を形成すべき箇所にある生コンクリート打設用の型枠を取り外し、次にスリーブ開口保形具、又はスリーブ開口保形具とスリーブ内に配置されたスリーブ内部保形具を取り除くことにより、スリーブを縮径させて取り出し可能とした請求項１１記載のコンクリート基礎における屈曲孔形成方法。
【発明の詳細な説明】
【技術分野】
【０００１】
本発明は型枠を用いて構築される各種建築物のコンクリート基礎における外側垂直面（立上部の外面）と内側水平面（内側ベタ基礎部、或いは土間コンクリート部の表面）との間に排水管等の各種配管を挿通するために所定角度で屈曲する屈曲孔を形成するコンクリート基礎における屈曲孔形成具及び屈曲孔形成方法に関するものである。
【背景技術】
【０００２】
従来から住宅等の建築物のコンクリート基礎には、給水管，排水管，ガス管，電気配線管，換気管その他の各種配管を挿通するために貫通孔が穿設されている。換気管用等の貫通孔は直線状の孔でよいが、排水管用の貫通孔は、建築物外面の美観、配管の破損のおそれ、敷地の有効利用等の観点から地中に埋設する必要があるため、コンクリート基礎の内側水平面における開口部が外側垂直面における開口部よりも垂直方向において高い位置にある必要がある。即ち、排水管を挿通するコンクリート基礎内の貫通孔は所定角度で屈曲している必要がある。
【０００３】
従来は、基礎コンクリートを打設する前に、基礎用鉄筋内の所定の箇所に排水管を設置した後に生コンクリートを打設して排水管を埋設していた。或いは箱抜き工法といって、コンクリート基礎の内側水平面における排水管を設置する部分の基礎用配筋内に直方体状の箱を設置した状態でコンクリートを打設し、コンクリート固化後に箱を取り除くことによって形成される直方体状のコンクリートが打設されていないスペースを排水管を設置するスペースとしていた。その後このスペースに連結できるようにコンクリート基礎の外側垂直面に予め穿設しておいた孔を使用して所定角度で屈曲するように排水管を設置し、スペース内に砂又はモルタルを充填していた。
【０００４】
更に、近時は基礎用のコンクリートを打設する前に、基礎用鉄筋内の所定の箇所にさや管を設置した後にコンクリートを打設してさや管を埋設し、コンクリート固化後に、さや管内に排水管を挿通するさや管が提供されている（特許文献１）。また、さや管に挿通する排水管を可撓管とし、基礎コンクリートの外側面に露出したさや管の一端の開口部に環状の防水パッキンを取付けて、防水パッキンの内周縁を可撓管の一端の硬質直管部に弾接させ、可撓管の両端の硬質直管部に屋外排水管と屋内排水管をそれぞれ管継手を介して接続した配管構造とすることにより、水密性が良好で、基礎貫通部材の可撓管の上端の位置を低く設定しても水密性を損なう心配がない、施工性に優れた排水管の配管構造も提供されている（特許文献２）。
【０００５】
また、本願出願人は先にコンクリート構造物に配管，配線用その他の用途に用いられる直管部材を敷設するに際して、スリーブでなる孔形成具をスリーブ取付具に固定した永久磁石の磁力によってコンクリート構造物内の配管部材を敷設すべき箇所にあるコンクリート打設用型枠に固定し、コンクリートの固化後に型枠を除去してから孔形成具を取り除くことによってコンクリート壁等の構造物に配管用の孔を形成し、その後にこの孔に直管部材を挿通する方法を提案している（特許文献３）。かかる方法によれば、孔形成具のスリーブ取付具が磁力によって型枠に密着するため、取り付けるべき位置に孔形成具を精確に取り付けることができるとともに該孔形成具の取り外しも容易であり、スリーブ取付具が型枠に密着しているため、コンクリートに覆われることもなく、孔形成具の取り付け取り外し時間も短縮可能であって工期の短縮をはかることができる。
【特許文献１】特開２００２−５４２０３号公報
【特許文献２】特開２００４−４４１７０号公報
【特許文献３】特開２００６−３０７４４７号公報
【発明の開示】
【発明が解決しようとする課題】
【０００６】
従来の排水管を直接基礎コンクリート内に埋設する方法では、排水管に破損や水漏れ等の障害が生じる等してメンテナンス作業が必要となった場合には、基礎コンクリートや基礎コンクリート内の鉄筋を破壊しなければならず、作業が繁雑であるばかりか、建築物の強度に重大な影響を与えかねず、採用することはできない。また、箱抜き工法はメンテナンスのためには箱抜き部分のモルタルを除去するのみでよいが、モルタル除去の煩雑な作業を必要とし、砂又はモルタル部分は基礎コンクリートと一体化しておらず、強度的に劣っている。更に箱抜き工法そのものが箱の取り付けに時間を要し、取り外しは箱を破壊しなければならず煩雑な手間や資材，労力を必要とするため、一部ハウスメーカーで採用されているに過ぎない。
【０００７】
特許文献１，２に示すさや管は、前記した従来工法の問題点を解決することができ、平成１２年６月に施工された「住宅の品質確保促進法」が示す基準を充足している。しかしながら、さや管そのものは基礎コンクリート内に埋設放置されるものであり、再利用することができず、又さや管内に挿通する排水管としての可撓管は特殊な構造であり、通常の塩化ビニール製の排水管に比べて著しく高価となる。更に、排水管とさや管との間に空間部が形成されるため、排水管に結露が生じた場合等は水滴はさや管内に貯留されることとなり、衛生上の問題も生じる。
【０００８】
そこで本発明は上記従来の排水管形成方法が有している課題を解消して、さや管を使用することなく、簡単な構成で、型枠を用いて構築される各種建築物のコンクリート基礎における外側垂直面と内側水平面との間に排水管等の各種配管を挿通するための所定角度で屈曲する屈曲孔を形成することにより、「住宅の品質確保促進法」が示す基準を充足するとともに、再利用可能で施工に時間と労力を要しないコンクリート基礎における屈曲孔形成具及び屈曲孔形成方法を提供することを目的とする。
【課題を解決するための手段】
【０００９】
本発明は上記目的を達成するために、基材シートを拡径・縮径可能に中空筒状に巻形成した２つのスリーブを所定角度に屈曲するように開口部を連接し、連接された２つのスリーブの両端開口部にスリーブ開口保形具を装着してなるコンクリート基礎における屈曲孔形成具を基本として提供する。具体的には、基材シートを拡径・縮径可能に中空筒状に巻形成し、一端に楕円状開口部を形成した一対のスリーブと、スリーブの他端の開口部に装着されたスリーブ開口保形具とからなり、スリーブの楕円状開口部を相互に密接させて固定することにより、一対のスリーブを所定角度に屈曲するように連接してなる。
【００１０】
そして、スリーブをスリーブ連結具で固定することにより連接し、スリーブ開口保形具の少なくとも一方に永久磁石を装備することにより、該永久磁石によりコンクリート基礎の屈曲孔を形成すべき箇所にある生コンクリート打設用の型枠にスリーブ開口保形具を磁着可能とする。スリーブ開口保形具は、円盤状の蓋面と、該蓋面の円周端部近傍に垂直に立設された所定高さの周壁と、該周壁の外側に形成された縁部とからなり、少なくとも一方のスリーブ開口保形具は、蓋面に開口部が穿設され、開口部にバックヨーク付き永久磁石が装着されている。また、スリーブ内に、スリーブの形状を付形するスリーブ内部保形具を配置し、スリーブ内部保形具は、その外周面がスリーブの内周面に密接する中空環状体であり、スリーブ開口保形具、又はスリーブ開口保形具及びスリーブ内部保形具を取り外すことにより、スリーブが縮径する。そして、スリーブ及び／又はスリーブ開口保形具の材質として、ポリアミド，ＰＢＴ，ＡＢＳ樹脂，ナイロン，ポリプロピレン等の合成樹脂を用いる。
【００１１】
更に、上記した構成のコンクリート基礎における屈曲孔形成具の一方のスリーブ開口保形具を、コンクリート基礎の外側垂直面を形成すべき箇所にある生コンクリート打設用の型枠に固定するとともに、内側水平面を形成する箇所に他方のスリーブ開口保形具を内側水平面から露出するように固定し、コンクリート基礎を構築するために打設した生コンクリートの固化後に型枠及び屈曲孔形成具を順次取り除くことによって、建築物のコンクリート基礎における外側垂直面と内側水平面との間に排水管等の各種配管を挿通するための屈曲孔を形成するコンクリート基礎における屈曲孔形成方法を提供する。そして、生コンクリートの固化後に、外側垂直面を形成すべき箇所にある生コンクリート打設用の型枠を取り外し、次にスリーブ開口保形具、又はスリーブ開口保形具とスリーブ内に配置されたスリーブ内部保形具を取り除くことにより、スリーブを縮径させて取り出し可能とした。
【発明の効果】
【００１２】
本発明にかかるコンクリート基礎における屈曲孔形成具及び屈曲孔形成方法によれば、コンクリート内に放置されるさや管を使用することなく、排水管用等の屈曲孔を基礎コンクリート内に簡単に施工することができる。即ち、施工する屈曲孔の角度はスリーブの楕円状開口部の形状や角度を選択することにより自由に設定することができ、又スリーブの直径及び形状は開口部に装着するスリーブ開口保形具とスリーブ内に配置するスリーブ内部保形具によって保形することができる。そのため、２つのスリーブを連接することにより、容易に所定角度に屈曲した屈曲孔形成具を得ることができる。
【００１３】
そして、一方のスリーブ開口保形具に装着された永久磁石を使用して、コンクリート基礎の外側垂直面を形成すべき箇所にある生コンクリート打設用の型枠に固定するとともに、内側水平面を形成する箇所に他方のスリーブ開口保形具を内側水平面から露出するように固定することにより、コンクリート基礎が構築される所定箇所に精確、かつ、簡単に設置することができる。その後コンクリート基礎を構築するために打設した生コンクリートの固化後に型枠を取り除き、屈曲孔形成具のスリーブ開口保形具及びスリーブ内部保形具をスリーブから取り外すことにより２つのスリーブはともに縮径するため、屈曲孔の両端からスリーブの内側端部を手で持って引き出すことにより、屈曲孔の内壁面から容易に離脱するとともにスリーブの連接も解除されるため、屈曲孔から取り出すことができる。よって屈曲孔内に屈曲孔形成具を残すことなく、屈曲孔を形成することができる。
【００１４】
そして、形成された屈曲孔に既存のエルボ管を挿入して、エルボ管の両端に直管を連結すれば、所定角度で屈曲する排水管等の配管を施工することができる。なお、排水管と屈曲孔との間隙には砂等を充填し、開放端部にモルタルを充填しておけばよい。かかる構成であれば、メンテナンス時にコンクリート基礎にダメージを与えることなく、屈曲孔内の排水管等の配管のメンテナンスが可能である。
【００１５】
一方のスリーブ開口保形具に装備した永久磁石を用いて屈曲孔形成具を設置するため、その作業が簡単、かつ、精確に行えるとともに、作業時においても前もって組み立てておいた屈曲孔形成具を取り付け位置に磁着させるだけでよく、取り付け作業そのものは極めて短時間で行うことができ、取り外し作業もほとんど労力を費やすことがないので、作業時間と作業コストを大幅に低減することができる。更にスリーブやスリーブ開口保形具、スリーブ内部保形具等の屈曲孔形成具の全ての部材を繰り返して利用することが可能である。
【発明を実施するための最良の形態】
【００１６】
以下図面に基づいて本発明にかかるコンクリート基礎における屈曲孔形成具及び屈曲孔形成方法の最良の実施形態を説明する。図１は本発明にかかる屈曲孔形成具１の中央縦断面図であり、図２は図１のＡ−Ａ線に沿う中央横断面図、図３はコンクリート基礎の型枠への設置状態を示す説明図である。屈曲孔形成具１は、拡径・縮径可能に中空筒状に巻形成され、それぞれ一端に楕円状開口部２ａ，３ａを形成した一対のスリーブ２，３と、スリーブ２，３の他端の開口部２ｂ，３ｂに装着されたスリーブ開口保形具４，５とからなり、スリーブ２，３の楕円状開口部２ａ，３ａを相互に密接させて一体となるように、その外周部を粘着テープ等のスリーブ連結具８で固定することにより、一対のスリーブ２，３を所定角度α（図示例では４５度）に屈曲させた状態に連接してなる。また、スリーブ２，３内には、その外周面がスリーブ２，３の内周面に密接する中空環状体からなるスリーブ内部保形具６，７がスリーブ２，３の形状を保形するために挿入されている。
【００１７】
図７に示すように柔軟性を有する薄板状の基材９を中空筒状に巻形成した際の径長と、楕円状開口部２ａ，３ａの角度によって決定される正弦曲線１０に沿って基材シート９ａと９ｂに切断する。この基材シート９ａ，９ｂを屈曲孔の径長と同一のサイズとなるように巻いて熱処理し、２ｄ，３ｄの端部がそれぞれ内側端部となり、２ｃ，３ｃの端部がそれぞれ外側端部となるように中空筒状に巻形成することによってスリーブ２，３を製作する。スリーブ２，３の材質としては生コンクリートの打設圧力に耐え、コンクリート固化後に取り外すことができるものであれば特に限定はなく、厚さ１ｍｍ程度のポリアミド，ＰＢＴ，塩化ビニール，ＡＢＳ樹脂，ナイロン，ポリプロピレン等の合成樹脂が適当であるが、他の紙その他の素材であってもよい。スリーブ２，３の径長は使用目的に応じて適宜に設定することが可能である。
【００１８】
図８は基材シート９ａ，９ｂを使用して製作したスリーブ２，３の全体斜視図、図９はその楕円状開口部２ａ，３ａ側の側面図、図１０は図８の中央縦断面図である。図に示すようにスリーブ２，３は基材シート９ａ，９ｂを１周半だけ巻形成してなり、外側端部２ｃ，３ｃが頂部に、内側端部２ｄ，３ｄが底部に位置している。このように外側端部２ｃ，３ｃ及び内側端部２ｄ，３ｄが移動自在な自由端部となっているためスリーブ２，３は自在に拡径・縮径可能である。スリーブ２，３の一端は楕円状開口部２ａ，３ａとして開口されており、その角度βは図示例では１１２．５度に設定してある。また、スリーブ２，３の他端は開口部２ｂ，３ｂとして開口されている。よって、スリーブ２，３の楕円状開口部２ａ，３ａを相互に密接させて連接させて、図１に示すように粘着テープ等のスリーブ連結具８で固定することにより、スリーブ２，３は所定角度（図示例では４５度）に屈曲させた状態で連結される。
【００１９】
本実施形態ではスリーブ２，３は同一形状のものを使用したが、設置するコンクリート基礎に応じて、スリーブ２，３の長さＬ１，Ｌ２や径長及び楕円状開口部２ａ，３ａの角度は自由に設計変更することができる。即ち、基礎の垂直部（立上部）の幅によって水平部分のスリーブ２の長さ（図１のＬ１）が決まり、基礎の深さや水平部（内側ベタ基礎部、或いは内側布基礎部の表面）の高さにより、屈曲部分のスリーブ３の長さ（図１のＬ２）が決定される。
【００２０】
これらのスリーブ２，３は外圧に弱く、又外側端部２ｃ，３ｃ及び内側端部２ｄ，３ｄはともに自由端部となっているため、そのままでは所定の径長及び形態を保つことができない。そこで、スリーブ２，３の開口部２ｂ，３ｂに、スリーブ開口保形具４，５を装着し、スリーブ２，３の内部にスリーブ内部保形具６，７を装着する。
【００２１】
先ず、スリーブ２の開口部２ｂには、図１１の全体斜視図に示すように、スリーブ開口保形具４が装着されている。図１２はスリーブ開口保形具４の全体斜視図、図１３は図１２の要部拡大断面図、図１４は図１１の中央縦断面図、図１５は図１１の中央横断面図、図１６は図１４のＢ−Ｂ断面図である。このスリーブ開口保形具４はスリーブ２の開口部２ｂの面積と略同一の面積を有する円盤状の蓋面４ｂと、該蓋面４ｂの円周端部近傍に垂直に立設された所定高さの周壁４ａと、該周壁４ａの外側に形成された縁部４ｄとから構成されている。このスリーブ開口保形具４を図１４に示すようにスリーブ２の開口部２ｂの外方から周壁４ａを嵌合させ、縁部４ｄを開口部２ｂの端部に係合させることにより装着する。このスリーブ開口保形具４を巻形成したスリーブ２に装着することにより、スリーブ２は所定の径長に保形される。
【００２２】
スリーブ開口保形具４の蓋面４ｂには２つの開口部４ｃが穿設され、この開口部４ｃに、図１３に示すように中空リング状の周壁１１ａと該周壁１１ａの端部に直交して外方に形成された鍔部１１ｂとからなる断面鈎型のリング状ヨーク１１の周壁１１ａが嵌合されている。リング状ヨーク１１の鍔部１１ｂはスリーブ開口保形具４の蓋面４ｂからその厚み分だけ突出しており、このリング状ヨーク１１の周壁１１ａ内に開口部４ｃより径大の円盤状バックヨーク１２に固着された永久磁石１３が嵌合されてスリーブ開口保形具４に装着されている。永久磁石１３の厚さはスリーブ開口保形具４の蓋面４ｂと略同一の厚さか、蓋面４ｂよりやや薄く形成されており、リング状ヨーク１１の鍔部１１ｂよりやや内側に位置している。４ｅはスリーブ開口保形具４の蓋面４ｂに穿設された操作用孔であり、スリーブ開口保形具４を取り外す際に適宜の工具を挿入する際に使用される。
【００２３】
永久磁石１３は裏面に配備した円盤状バックヨーク１２と、外面方向から配備したリング状ヨーク１１によって壺ヨークと同様の形状となって磁力が高められ、永久磁石１３を生コンクリート打設用の型枠２５の内側に安定して固着することができる。また、円盤状バックヨーク１２が固着された永久磁石１３とリング状ヨーク１１，スリーブ開口保形具４はそれぞれ別体の部材であって分離可能であり、個別に補充や再利用することができる。
【００２４】
永久磁石１３の取付けはスリーブ開口保形具４の蓋面４ｂに穿設した開口部４ｃの外面側からリング状ヨーク１１の周壁１１ａを差し込み、次に内面側から円盤状バックヨーク１２を固着した永久磁石１３をリング状ヨーク１１の周壁１１ａ内に挿入して固定する。図示例では２個の永久磁石１３を用いているが、スリーブ開口保形具４の径長が大きいケースでは３個以上の永久磁石１３を固着してもよいし、或いはスリーブ開口保形具４の径長が小さいケースでは１個の永久磁石１３を固着してもよい。
【００２５】
永久磁石１３のみのものに対して、円盤状バックヨーク１２を装着した永久磁石１３は大きく磁力が向上する。永久磁石１３そのものは脆くて割れやすいものであるが、円盤状バックヨーク１２を固着することによって取扱いが容易となり、リング状ヨーク１１によって永久磁石１３が直接生コンクリート打設用の型枠２５に触れないようにして該永久磁石１３が保護される。
【００２６】
一方、スリーブ３の開口部３ｂには、図１９の全体斜視図に示すように、スリーブ開口保形具５が装着されている。図２０はスリーブ開口保形具５の正面図、図２１は図１９の中央縦断面図、図２２は図１９の中央横断面図、図２３は図２１のＣ−Ｃ断面図である。このスリーブ開口保形具５は、スリーブ３の開口部３ｂの面積と略同一の面積を有する円盤状の蓋面５ｂと、該蓋面５ｂの円周端部近傍に垂直に立設された所定高さの周壁５ａと、該周壁５ａの外側に形成された縁部５ｄとから構成されている。このスリーブ開口保形具５を図２１に示すようにスリーブ３の開口部３ｂの外方から周壁５ａを嵌合させ、縁部５ｄを開口部３ｂの端部に係合させることにより装着する。５ｅはスリーブ開口保形具５の蓋面５ｂに穿設された操作用孔であり、スリーブ開口保形具５を取り外す際に適宜の工具を挿入する際に使用される。このスリーブ開口保形具５を巻形成したスリーブ３に装着することにより、スリーブ３は所定の径長に保形される。
【００２７】
スリーブ開口保形具５の蓋面５ｂには２つの開口部５ｃも穿設されており、上記したスリーブ開口保形具５の構成はスリーブ開口保形具４と同様であり、スリーブ開口保形具４，５は共通の部材を使用することが可能である。ただし、スリーブ開口保形具５では、開口部５ｃに永久磁石１３，リング状ヨーク１１，円盤状バックヨーク１２は不要である。これは後述するように、スリーブ３は基礎コンクリートの内側水平面を形成する箇所において、内側水平面から露出するように設置されるため、永久磁石を使用して型枠に磁着される必要がないためである。よって、開口部５ｃも本来不要であるが、スリーブ開口保形具５の設置や取り外し時に、指や工具を挿入するために便宜であり、又スリーブ開口保形具４と同一の部材を使用できるため、形成しておくことがより便宜である。
【００２８】
更に、スリーブ２，３内には、図１〜図３，図１４，図１５，図２１，図２２に示すようにスリーブ２，３の形状を保形するためのスリーブ内部保形具６，７が着脱自在に装備されている。図１７はスリーブ内部保形具６，７の正面図、図１８は図１７の中央縦断面図である。スリーブ内部保形具６，７は所定Ｗを有する外周面６ａ，７ａがスリーブ２，３の内周面に密接して支持する中空環状体であり、中央部には操作孔６ｃ，７ｃが穿設されるとともに、外周面６ａ，７ａと操作孔６ｃ，７ｃとの間には垂下片６ｂ，７ｂが形成されている。スリーブ内部保形具６，７の設置箇所は特に限定はないが、スリーブ２，３の保形のためには、スリーブ２，３の中央部から楕円状開口部２ａ，３ａの間に設置することが好ましい。このスリーブ内部保形具６，７は中心方向にかかる荷重には耐圧性を有するが、操作孔６ｃ，７ｃに工具や指を差し込んで引っ張ればゆがみを生じて簡単にスリーブ２，３から取り外せる。よって、スリーブ内部保形具６，７の素材としては保形性とともに可撓性を有する素材が適当である。
【００２９】
このように開口部２ｂにスリーブ開口保形具４を、内部にスリーブ内部保形具６を装備したスリーブ２と、開口部３ｂにスリーブ開口保形具５を、内部にスリーブ内部保形具７を装備したスリーブ３の楕円状開口部２ａ，３ａを相互に密接させて、粘着テープ等のスリーブ連結具８で固定することにより、図１、図２に示す所定角度α（図示例では４５度）に屈曲した屈曲孔形成具１を得ることができる。次にこの屈曲孔形成具１を使用してコンクリート基礎における屈曲孔を形成する方法を説明する。なお、スリーブ連結具８はスリーブ２，３を固定することができればよく、密接させた楕円状開口部２ａ，３ａの全周に装備する場合のみならず、部分的に装備するものであってもよい。
【００３０】
図３は基礎コンクリート内に排水管用の屈曲孔２４を形成するために、屈曲孔形成具１を生ンクリート打設前の基礎型枠内に設置した状況を示す説明図、図４は図３に生コンクリートを打設した状態を示す説明図、図５は生コンクリート固化後に屈曲孔形成具１を取り外した状態を示す説明図である。図において、２１は展圧した砕石であり、この砕石２１の上に基礎の垂直部２２の外側垂直面を形成する型枠２５を立設し、主筋２７，スターラップ筋２８を配筋するとともに、内側垂直面を形成するための型枠２６を固定する。３０は水平部２３を構築するために配筋されたスラブ筋である。これらの各種配筋は従来と同様である。
【００３１】
そして、屈曲孔２４を形成する箇所における各種配筋及び必要なコンクリートの被りがとれない配筋を切断し、屈曲孔形成具１を挿入するスペースを確保するとともに、必要に応じて補強筋２９を補強する。このようにして確保したスペースにスリーブ２を水平状態に、スリーブ３を傾斜状態にして屈曲孔形成具１を設置し、スリーブ開口保形具４の永久磁石１３を型枠２５の内側に磁着させて所定の位置に固定する。なお、型枠２５の材質としては、永久磁石１３が磁着できる材質を使用する。この状態において、スリーブ３のスリーブ開口保形具５側は水平部２３から飛び出した状態に設置される。
【００３２】
打設される生コンクリート２０の圧力や浮力は永久磁石１３に対して梃子の原理で作用するので、永久磁石１３によるスリーブ開口保形具４の固定だけでは屈曲孔形成具１の設置位置を精確に確保できないことが考えられる。そこで、スリーブ３を公知のスリーブバンド１６でスラブ筋３０等の近傍の鉄筋に固着する。なお、スリーブバンド１６の構成は特に限定はなく、スリーブ３を近傍の鉄筋に固定できるものであれば、どのようなものでもよい。また、針金等の適宜材質の結線具で結線するだけでもよい。このスリーブ開口保形具４及びスリーブバンド１６の固定によって生コンクリート２０の打設時の圧力や振動に充分耐えることができる。永久磁石１３を用いたことによって屈曲孔形成具１を容易に所望の位置に配置することが可能であり、屈曲孔形成具１の取り付け位置が決まれば、各種配筋との距離を計って永久磁石１３を型枠２５に磁着させるだけでよく、取り付け作業そのものは極めて短時間で行うことができる。
【００３３】
次に図４に示すように、生コンクリート２０を型枠２５，２６及び水平部２３内の空間に打設し、所定期間養生させて固化させる。固化後に型枠２５を取り外してスリーブ開口保形具４を露出させ、操作用孔４ｅにフック状の金具その他の工具を挿入してスリーブ開口保形具４を取り外す。同様に水平部２３から露出しているスリーブ開口保形具５の操作用孔５ｅにフック状の金具その他の工具を挿入してスリーブ開口保形具５を取り外す。次にスリーブ２，３の開口部２ｂ，３ｂからスリーブ内部保形具６，７の操作孔６ｃ，７ｃに工具或いは手を差し入れて、スリーブ内部保形具６，７を撓ませて、開口部２ｂ，３ｂから取り出す。なお、スリーブ開口保形具４は型枠２５に磁着されているため、型枠２５の取り外しとともに、スリーブ２から外れることもある。
【００３４】
この状態において、スリーブ２，３は支えとなるスリーブ開口保形具４，５及びスリーブ内部保形具６，７が存在しないため、内側端部２ｄ，３ｄから内側に縮径するように付勢されている。そこで、スリーブ２，３を内側に巻き込むように、即ち縮径する方向に回転させながら引き抜けば、容易に粘着テープ等のスリーブ連結具８による連結から解放される。その後スリーブ２，３を縮径させながら、スリーブ２を形成された屈曲孔２４の垂直部２２側の開口２４ａから、又スリーブ３を水平部２３側の開口２４ｂから取り出し、併せて連結具８を取り出すことにより、図５に示すように所定角度に屈曲した屈曲孔２４が形成される。取り出したスリーブ２，３，スリーブ開口保形具４，５、スリーブ内部保形具６，７等は全て繰り返しての再利用が可能である。なお、上記実施形態では垂直部２２と水平部２３への生コンクリート２０の打設は同時に行ったが、先に水平部２３より下部を打設し、その後に垂直部２２を打設するいわゆる２度打ちであってもよい。また、水平部２３にもスラブ筋３０を配筋したベタ基礎としたが、水平部２３への配筋をせず防湿コンクリート打設して土間コンクリートとする構成であってもよい。
【００３５】
このようにして形成した屈曲孔２４の垂直部２２側の開口２４ａ又は水平部２３側の開口２４ｂから所定角度のエルボ管３１を差し込んで屈曲部に位置させ、エルボ管３１の両端部にそれぞれ直管３２，３３を挿入固定して屈曲管３４を屈曲孔２４内に設置することができる。垂直部２２の外側垂直面から露出した直管３２には配管状況に応じて所定角度のエルボ管３５，直管３６を連結して建物外の排水桝へ配管する。一方、水平部２３の内側端部から露出した直管３３には配管状況に応じて所定角度のエルボ管３７，直管３８を連結して建物内の排水設備からの配管に連結される。なお、エルボ管３１を使用することなく、フレキシブルに屈曲可能な屈曲管、或いは予め屈曲した屈曲管を挿通することも可能である。
【００３６】
屈曲孔２４と屈曲管３４との間の隙間には砂等の充填物３９を充填し、開口２４ａ及び開口２４ｂにおける隙間をモルタル４０等で充填することにより施工が完了する。これにより、屈曲孔２４と屈曲管３４との間の隙間が閉塞されるため、防蟻上の問題もなく、また、屈曲管３４の交換等の必要が生じた場合でも基礎コンクリートに影響を与えることなく、容易に交換或いは補修・点検することができる。
【００３７】
なお、屈曲孔２４が基礎コンクリートの強度に与える影響が大きいので、屈曲孔２４の径は可能な限り小さくすることが好ましい。よって、屈曲孔２４の屈曲部に挿通されるエルボ管３１が挿通可能な最小寸法とすることが好ましい。これによりコンクリート構造物への強度の影響、屈曲孔２４から各種配筋へのコンクリートの被り、グランドレベルとの兼ね合い等施工上の困難を最小限とすることができ、高い実用性を有する。
【産業上の利用可能性】
【００３８】
本発明にかかるコンクリート基礎における屈曲孔形成具及び屈曲孔形成方法によれば、コンクリート内に放置されるさや管を使用することなく、排水管用等の屈曲孔を基礎コンクリート内に簡単に施工することができる。即ち、施工する屈曲孔の角度はスリーブの楕円状開口部の形状を選択することにより自由に設定することができ、又スリーブの直径及び形状は開口部に装着するスリーブ開口保形具とスリーブ内に配置するスリーブ内部保形具によって保形することができる。そのため、２つのスリーブを連接することにより、容易に所定角度に屈曲した屈曲孔形成具を得ることができる。
【００３９】
そして、一方のスリーブ開口保形具に装着された永久磁石を使用して、コンクリート基礎の外側垂直面を形成すべき箇所にある生コンクリート打設用の型枠に固定するとともに、内側水平面を形成する箇所に他方のスリーブ開口保形具を内側水平面から露出するように固定することにより、コンクリート基礎が構築される所定箇所に精確、かつ、簡単に設置することができる。その後コンクリート基礎を構築するために打設した生コンクリートの固化後に型枠を取り除き、屈曲孔形成具のスリーブ開口保形具及びスリーブ内部保形具をスリーブから取り外すことにより２つのスリーブはともに縮径するため、屈曲孔の両端からスリーブの内側端部を手で持って引き出すことにより、屈曲孔の内壁面から容易に離脱するとともにスリーブの連接も解除されるため、屈曲孔から取り出すことができる。よって屈曲孔内に屈曲孔形成具を残すことなく、屈曲孔を形成することができる。
【００４０】
そして、形成された屈曲孔に既存のエルボ管を挿入して、エルボ管の両端に直管を連結すれば、所定角度で屈曲する排水管等の配管を施工することができる。なお、排水管と屈曲孔との間隙には砂等を充填し、開放端部にモルタルを充填しておけばよい。かかる構成であれば、メンテナンス時にコンクリート基礎にダメージを与えることなく、屈曲孔内の排水管等の配管のメンテナンスが可能である。
【００４１】
一方のスリーブ開口保形具に装備した永久磁石を用いて屈曲孔形成具を設置するため、その作業が簡単、かつ、精確に行えるとともに、作業時においても前もって組み立てておいた屈曲孔形成具を取り付け位置に磁着させるだけでよく、取り付け作業そのものは極めて短時間で行うことができるため、取り外し作業もほとんど労力を費やすことがないので、作業時間と作業コストを大幅に低減することができる。更にスリーブやスリーブ開口保形具、スリーブ内部保形具等の屈曲孔形成具の全ての部材を繰り返して再利用することが可能である。
【図面の簡単な説明】
【００４２】
【図１】本発明にかかる屈曲孔形成具の中央縦断面図。
【図２】図１のＡ−Ａ線に沿う中央横断面図。
【図３】生コンクリート打設前の基礎型枠内に設置した状況を示す説明図。
【図４】生コンクリートを打設した状態を示す説明図。
【図５】生コンクリート固化後に屈曲孔形成具を取り外した状態を示す説明図。
【図６】屈曲管の施工状態を示す説明図。
【図７】基材の平面図。
【図８】スリーブの全体斜視図。
【図９】スリーブの楕円状開口部側の側面図。
【図１０】図８の中央縦断面図。
【図１１】スリーブ開口保形具を装着したスリーブの全体斜視図。
【図１２】スリーブ開口保形具の全体斜視図。
【図１３】図１２の要部拡大断面図。
【図１４】図１１の中央縦断面図。
【図１５】図１１の中央横断面図。
【図１６】図１４のＢ−Ｂ断面図。
【図１７】スリーブ内部保形具の正面図。
【図１８】図１７の中央縦断面図。
【図１９】スリーブの全体斜視図。
【図２０】スリーブ開口保形具の正面図。
【図２１】図１９の中央縦断面図。
【図２２】図１９の中央横断面図。
【図２３】図２１のＣ−Ｃ断面図。
【符号の説明】
【００４３】
１…屈曲孔形成具
２，３…スリーブ
２ａ，３ａ…楕円状開口部
２ｂ，３ｂ，４ｃ，５ｃ…開口部
２ｃ，３ｃ…外側端部
２ｄ，３ｄ…内側端部
４，５…スリーブ開口保形具
４ａ，５ａ…周壁
４ｂ，５ｂ…蓋面
４ｄ，５ｄ…縁部
４ｅ，５ｅ…操作用孔
６，７…スリーブ内部保形具
６ａ，７ａ…外周面
６ｂ，７ｂ…垂下片
６ｃ，７ｃ…操作孔
８…スリーブ連結具
９…基材
９ａ，９ｂ…基材シート
１０…正弦曲線
１１…リング状ヨーク
１１ａ…周壁
１１ｂ…鍔部
１２…円盤状バックヨーク
１３…永久磁石
１６…スリーブバンド
２０…生コンクリート
２１…砕石
２２…垂直部
２３…水平部
２４…屈曲孔
２４ａ，２４ｂ…開口
２５，２６…型枠
２７…主筋
２８…スターラップ筋
２９…補強筋
３０…スラブ筋
３１，３５，３７…エルボ管
３２，３３，３６，３８…直管
３４…屈曲管
３９…充填物
４０…モルタル
【図１】
2009035982.tif 000003
【図２】
2009035982.tif 000004
【図３】
2009035982.tif 000005
【図４】
2009035982.tif 000006
【図５】
2009035982.tif 000007
【図６】
2009035982.tif 000008
【図７】
2009035982.tif 000009
【図８】
2009035982.tif 000010
【図９】
2009035982.tif 000011
【図１０】
2009035982.tif 000012
【図１１】
2009035982.tif 000013
【図１２】
2009035982.tif 000014
【図１３】
2009035982.tif 000015
【図１４】
2009035982.tif 000016
【図１５】
2009035982.tif 000017
【図１６】
2009035982.tif 000018
【図１７】
2009035982.tif 000019
【図１８】
2009035982.tif 000020
【図１９】
2009035982.tif 000021
【図２０】
2009035982.tif 000022
【図２１】
2009035982.tif 000023
【図２２】
2009035982.tif 000024
【図２３】
2009035982.tif 000025